(57)【特許請求の範囲】
【請求項１】
所定の画像処理のジョブを実行する実行部と、
前記実行部がジョブを行っていない非ジョブ期間において、ジョブを実行するまでに要する待機時間が互いに異なり、かつ、消費電力量が互いに異なる複数種類の節電モードに前記実行部の状態を移行させる節電手段と、
第１の所定期間における前記非ジョブ期間の第１の消費電力量を取得する取得手段と、
前記第１の所定期間における前記各節電モードへの移行回数をカウントするカウント手段と、
前記各節電モードの消費電力量と該各節電モードへの移行回数とに基づいて、前記第１の所定期間と同じ長さの第２の所定期間における前記非ジョブ期間の第２の消費電力量が前記第１の消費電力量よりも削減量だけ少なくなるように、複数パターンの該第２の所定期間における該各節電モードへの移行回数を生成する生成手段と、
前記複数パターンの前記各節電モードへの移行回数及び該各節電モードの前記待機時間に基づいて、該複数パターンの待機時間の総和を算出する算出手段と、
を備えていること、
を特徴とする画像処理装置。
【請求項２】
前記第１の所定期間よりも長い第３の所定期間における前記非ジョブ期間の消費電力量の目標値を入力する入力手段を、
更に備えており、
前記生成手段は、前記目標値に基づいて、前記削減量を決定すること、
を特徴とする請求項１に記載の画像処理装置。
【請求項３】
前記待機時間の総和の内、最も少ない前記待機時間の総和に対応する前記パターンを選択する選択手段を、
更に備えていること、
を特徴とする請求項１又は請求項２のいずれかに記載の画像処理装置。
【発明の詳細な説明】
【技術分野】
【０００１】
本発明は、画像処理装置に関し、より特定的には、所定の画像処理を実行する画像処理装置に関する。
【背景技術】
【０００２】
従来の一般的な画像処理装置に関する発明としては、例えば、特許文献１に記載の画像処理装置が知られている。該画像処理装置では、スリープモード及びレディーモードの節電モードが存在する。スリープモードでの消費電力は、レディーモードの消費電力よりも小さい。画像処理装置がプリントやコピー等のジョブを終了すると、画像処理装置のモードがスリープモードに移行する。そして、レディーモードから所定時間が経過すると画像処理装置のモードがスリープモードに移行する。
【０００３】
以上のように構成された画像処理装置は、スリープモードに移行した時刻及び時間、並びに、レディーモードに移行した時刻及び時間を記憶している。そして、画像処理装置は、これらの時間に基づいて所定時間の設定変更を行って、消費電力量の低減を図っている。
【０００４】
しかしながら、特許文献１に記載の画像処理装置では、各モードからプリントやコピー等のジョブを実行するまでの待機時間が長くなるおそれがある。より詳細には、スリープモードにおいてジョブを実行するまでの待機時間は、レディーモードにおいてジョブを実行するまでの待機時間よりも長い。そのため、消費電力量の低減のために所定時間が短く設定されると、スリープモードへの移行頻度が高くなる。その結果、待機時間が長くなってしまう。
【先行技術文献】
【特許文献】
【０００５】
【特許文献１】特開２０１０−４１５２９号公報
【発明の概要】
【発明が解決しようとする課題】
【０００６】
そこで、本発明の目的は、消費電力量の低減を図ると共に、ジョブの実行までの待機時間が長くなることを抑制できる画像処理装置を提供することである。
【課題を解決するための手段】
【０００７】
本発明の一形態に係る画像処理装置は、所定の画像処理のジョブを実行する実行部と、前記実行部がジョブを行っていない非ジョブ期間において、ジョブを実行するまでに要する待機時間が互いに異なり、かつ、消費電力量が互いに異なる複数種類の節電モードに前記実行部の状態を移行させる節電手段と、第１の所定期間における前記非ジョブ期間の第１の消費電力量を取得する取得手段と、前記第１の所定期間における前記各節電モードへの移行回数をカウントするカウント手段と、前記各節電モードの消費電力量と該各節電モードへの移行回数とに基づいて、前記第１の所定期間と同じ長さの第２の所定期間における前記非ジョブ期間の第２の消費電力量が前記第１の消費電力量よりも削減量だけ少なくなるように、複数パターンの該第２の所定期間における該各節電モードへの移行回数を生成する生成手段と、前記複数パターンの前記各節電モードへの移行回数及び該各節電モードの前記待機時間に基づいて、該複数パターンの待機時間の総和を算出する算出手段と、を備えていること、を特徴とする。
【発明の効果】
【０００８】
本発明によれば、消費電力量の低減を図ると共に、ジョブの実行までの待機時間が長くなることを抑制できる。
【図面の簡単な説明】
【０００９】
【図１】画像形成装置の全体構成を示した図である。
【図２】画像形成装置の電源構成を示したブロック図である。
【図３】各週末における消費電力量及び消費電力量の目標値を示したグラフである。
【図４】ＣＰＵが行う動作を示したフローチャートである。
【図５】ＣＰＵが行う動作を示したフローチャートである。
【図６】ＣＰＵが行う動作を示したフローチャートである。
【図７】ＣＰＵが行う動作を示したフローチャートである。
【図８】ＣＰＵが行う動作を示したフローチャートである。
【図９】ＣＰＵが行う動作を示したフローチャートである。
【図１０】ＣＰＵが行う動作を示したフローチャートである。
【発明を実施するための形態】
【００１０】
以下に、本発明に係る画像処理装置の一実施形態に係る画像形成装置について説明する。
【００１１】
（画像形成装置の全体構成）
以下に、本発明の実施形態に係る画像形成装置について図面を参照しながら説明する。図１は、画像形成装置１の全体構成を示した図である。
【００１２】
画像形成装置１は、電子写真方式によるカラープリンタであって、いわゆるタンデム式で４色（Ｙ：イエロー、Ｍ：マゼンタ、Ｃ：シアン、Ｋ：ブラック）のトナー画像を合成して用紙に印刷する。該画像形成装置１は、スキャナにより読み取った画像データに基づいて、用紙に画像を形成する機能を有し、図１に示すように、印刷部２、給紙部１５、タイミングローラ対１９、定着装置２０、排紙ローラ対２１及び排紙トレイ２３を備えている。
【００１３】
給紙部１５は、用紙を１枚ずつ供給する役割を果たし、用紙トレイ１６及び給紙ローラ１７を含む。用紙トレイ１６には、印刷前の状態の用紙が複数枚重ねて載置される。給紙ローラ１７は、用紙トレイ１６に載置された用紙を１枚ずつ取り出す。
【００１４】
タイミングローラ対１９は、給紙ローラ１７により搬送されてきた用紙にトナー画像が印刷部２において２次転写されるように、タイミングを調整しながら用紙を搬送する。
【００１５】
印刷部２は、給紙部１５から供給されてくる用紙にトナー画像を形成し、光走査装置６、転写部８（８Ｙ，８Ｍ，８Ｃ，８Ｋ）、中間転写ベルト１１、駆動ローラ１２、従動ローラ１３、２次転写ローラ１４及び作像ユニット２２（２２Ｙ，２２Ｍ，２２Ｃ，２２Ｋ）を含んでいる。また、作像ユニット２２（２２Ｙ，２２Ｍ，２２Ｃ，２２Ｋ）は、感光体ドラム４（４Ｙ，４Ｍ，４Ｃ，４Ｋ）、帯電器５（５Ｙ，５Ｍ，５Ｃ，５Ｋ）、現像装置７（７Ｙ，７Ｍ，７Ｃ，７Ｋ）及びクリーナー９（９Ｙ，９Ｍ，９Ｃ，９Ｋ）を含んでいる。
【００１６】
感光体ドラム４（４Ｙ，４Ｍ，４Ｃ，４Ｋ）は、円筒形状をなしており、図１において時計回りに回転させられる。帯電器５（５Ｙ，５Ｍ，５Ｃ，５Ｋ）は、感光体ドラム４（４Ｙ，４Ｍ，４Ｃ，４Ｋ）の周面を帯電させる。光走査装置６は、感光体ドラム４（４Ｙ，４Ｍ，４Ｃ，４Ｋ）の周面に対してビームＢ（ＢＹ，ＢＭ，ＢＣ，ＢＫ）を走査する。これにより、感光体ドラム４（４Ｙ，４Ｍ，４Ｃ，４Ｋ）の周面には静電潜像が形成される。
【００１７】
現像装置７（７Ｙ，７Ｍ，７Ｃ，７Ｋ）は、感光体ドラム４（４Ｙ，４Ｍ，４Ｃ，４Ｋ）に静電潜像に基づくトナー画像を現像する。
【００１８】
転写ベルト１１は、駆動ローラ１２と従動ローラ１３との間に張り渡されている。転写部８は、中間転写ベルト１１の内周面に対向するように配置されており、感光体ドラム４に形成されたトナー画像を中間転写ベルト１１に１次転写する役割を果たす。クリーナー９は、１次転写後に感光体ドラム４の周面に残存しているトナーを回収する。駆動ローラ１２は、中間転写ベルト駆動部（図１には記載せず）により回転させられることにより、中間転写ベルト１１を矢印αの方向に駆動させる。これにより、中間転写ベルト１１は、トナー画像を２次転写ローラ１４まで搬送する。
【００１９】
２次転写ローラ１４は、中間転写ベルト１１と対向し、ドラム形状をなしている。そして、２次転写ローラ１４は、転写電圧が印加されることにより、中間転写ベルト１１との間を通過する用紙に対して、中間転写ベルト１１が担持しているトナー画像を２次転写する。
【００２０】
トナー画像が２次転写された用紙は、定着装置２０に搬送される。定着装置２０は、用紙に対して加熱処理及び加圧処理を施すことにより、トナー画像を用紙に定着させる。排紙ローラ対２１は、定着装置２０から搬送されてきた用紙を排紙トレイ２３に排出する。排紙トレイ２３には、印刷済みの用紙が載置される。
【００２１】
（画像形成装置の電源構成）
次に、画像形成装置１の電源構成について図面を参照しながら説明する。図２は、画像形成装置１の電源構成を示したブロック図である。
【００２２】
画像形成装置１は、ＣＰＵ６０、ＲＡＭ６２、制御基板６３、操作部６４、低圧電源６６及びプラグ７０を更に備えている。
【００２３】
ＣＰＵ６０は、画像形成装置１の全体を制御する制御手段であり、制御基板６３上に実装されている。ＲＡＭ６２は、所定の情報を記憶する記憶手段であり、制御基板６３上に実装されている。操作部６４は、ユーザからの入力を受け付ける入力部及びユーザに対して情報を表示する表示部であり、例えば、タッチパネルにより構成されている。
【００２４】
プラグ７０は、コンセントに挿入され、該コンセントから１００Ｖの交流電源の供給を受ける。
【００２５】
低圧電源６６は、プラグ７０から供給される交流電源を印刷部２及び給紙部１５の動作に適した電圧に降下させる電源装置である。一方、定着装置２０は、プラグ７０から供給される交流電圧により動作する。
【００２６】
印刷ジョブを行っていない非ジョブ期間において、定着装置２０及び低圧電源６６の動作状態には、スタンバイ１モード、スタンバイ２モード、ローパワーモード及びスリープモードの４種類の節電モードが存在する。スタンバイ１モードとは、印刷ジョブを直ちに実行することができるように定着装置２０及び低圧電源６６に電力が供給されている節電モードである。スタンバイ２モードとは、スタンバイ１モードよりも定着装置２０の温度が低く設定されており、スタンバイ１モードよりも消費電力が小さい節電モードである。ただし、スタンバイ２モードにおいて印刷ジョブを実行するまでにかかる時間は、スタンバイ１モードにおいて印刷ジョブを実行するまでにかかる時間よりも長い。
【００２７】
ローパワーモードとは、スタンバイ２モードよりも消費電力が小さい節電モードである。ローパワーモードにおいて定着装置２０及び低圧電源６６に供給される電力は、スタンバイ２モードにおいて定着装置２０及び低圧電源６６に供給される電力よりも小さい。そのため、ローパワーモードにおいて印刷ジョブを実行するまでにかかる時間は、スタンバイ２モードにおいて印刷ジョブを実行するまでにかかる時間よりも長い。
【００２８】
スリープモードとは、ローパワーモードよりも消費電力が小さい節電モードである。スリープモードにおいて定着装置２０及び低圧電源６６に供給される電力は、ローパワーモードにおいて定着装置２０及び低圧電源６６に供給される電力よりも小さい。そのため、スリープモードにおいて印刷ジョブを実行するまでにかかる時間は、ローパワーモードにおいて印刷ジョブを実行するまでにかかる時間よりも長い。
【００２９】
以上のように、スタンバイ１モード、スタンバイ２モード、ローパワーモード及びスリープモードでは、ジョブを実行するまでに要する待機時間が異なり、かつ、消費電力量が異なる。表１は、各モードにおける消費電力量及び待機時間を示した表である。なお、表１における消費電力量とは、各モードに１回移行した際に消費される電力量の平均値である。また、ＲＡＭ６２は、表１のテーブルを記憶している。
【００３０】
【表１】
0005849833.tif 000002
【００３１】
ＣＰＵ６０は、非ジョブ期間の経過に伴って、スタンバイ１モード、スタンバイ２モード、ローパワーモード及びスリープモードの順に定着装置２０及び低圧電源６６の動作状態を移行させる。
【００３２】
なお、ＣＰＵ６０は、スタンバイ２モード、ローパワーモード又はスリープモードにおいて印刷ジョブを実行する際には、ウォームアップモードに移行した後に印刷ジョブを実行する。一方、ＣＰＵ６０は、スタンバイ１モードにおいて印刷ジョブを実行する際には、ウォームアップモードに移行することなく印刷ジョブを実行する。ウォームアップモードでは、定着装置２０の加熱が行われる。
【００３３】
また、ＣＰＵ６０は、１週間における各節電モードへの移行回数をカウントしている。そして、ＲＡＭ６２は、１週間における各節電モードへの移行回数をモード分布として記憶している。表２は、モード分布を示した表である。なお、表２において、スタンバイモードへの移行回数は、スタンバイ１モードへの移行回数及びスタンバイ２モードへの移行回数の合計である。
【００３４】
【表２】
0005849833.tif 000003
【００３５】
また、表２には、第ｎ週（ｎは１〜５の整数）における消費電力量Ｓｎ及び第ｎ週における待機時間の総和である待機時間ＴＷｎも記録されている。消費電力量Ｓｎ及び待機時間ＴＷｎの算出については後述する。
【００３６】
（画像形成装置の動作）
以上のように構成された画像形成装置１の動作について以下に図面を参照しながら説明する。図３は、各週末における消費電力量及び消費電力量の目標値を示したグラフである。
【００３７】
まず、ユーザは、画像形成装置１の操作部６４を用いて、目標値Ｘを入力する。目標値Ｘは、１ヶ月間における非ジョブ期間の消費電力量の目標値である。ここでは、目標値Ｘを図３に示すように、７６．５ｋＷ・ｈとする。
【００３８】
次に、画像形成装置１は、１週間にわたって通常の動作を行う。ＣＰＵ６０は、１週間において、各節電モードへの移行回数をカウントして、モード分布を生成する。以下に、モード分布の生成の具体例について表を用いて説明する。表３は、各節電モードにおける消費電力量及び待機時間の一例を示した表である。表４は、第１週の終了時におけるモード分布の一例を示した表である。
【００３９】
【表３】
0005849833.tif 000004
【００４０】
【表４】
0005849833.tif 000005
【００４１】
表３では、スタンバイ１モードの消費電力量Ｗｓｔが、２００Ｗ・ｈであることを意味している。また、スタンバイ１モードの待機時間ｔｗｓｔが０秒であることを意味している。なお、スタンバイ２モード、ローパワーモード及びスリープモードについても同様である。
【００４２】
また、表４では、第１週において、スタンバイモードへの移行回数Ｔｓｔが７０回であり、ローパワーモードＴｌｐが２０回であり、スリープモードＴｓｌが１０回であったことを意味している。なお、第１週では、スタンバイモードの移行回数は、スタンバイ１モードの移行回数を意味している。また、第２週以降では、スタンバイ１モードの代わりにスタンバイ２モードに移行するので、スタンバイモードの移行回数は、スタンバイ２モードの移行回数を意味している。
【００４３】
また、表４では、消費電力量Ｓ１は、１６１００Ｗ・ｈである。消費電力量Ｓ１は、以下の式（１）に表３及び表４の値を代入することより求められる。
【００４４】
Ｓ１＝Ｔｓｔ・Ｗｓｔ＋Ｔｌｐ・Ｗｌｐ＋Ｔｓｌ・Ｗｓｌ  ・・・（１）
【００４５】
また、表４では、待機時間ＴＷ１は、５５０ｓである。待機時間ＴＷ１は、以下の式（２）に、表３及び表４の値を代入することより求められる。
【００４６】
ＴＷ１＝Ｔｓｔ・ｔｗｓｔ＋Ｔｌｐ・ｔｗｌｐ＋Ｔｓｌ・ｔｗｓｌ  ・・・（２）
【００４７】
次に、ＣＰＵ６０は、目標値Ｘに基づいて削減量Ｙを決定する。削減量Ｙとは、次週において１週間あたりに今週の消費電力量から削減すべき消費電力量である。具体的には、１週目終了時点における削減量Ｙは以下の式（３）により求められる。
【００４８】
Ｙ＝（５・Ｓ１−Ｘ）／４  ・・・（３）
【００４９】
削減量Ｙは、式（３）にＸ＝７６５００及びＳ１＝１６１００を代入することにより、１０００Ｗ・ｈと求まる。
【００５０】
次に、ＣＰＵ６０は、各節電モードの消費電力量Ｗｓｔ−ΔＷｓｔ，Ｗｌｐ，Ｗｓｌと該各節電モードへの移行回数Ｔｓｔ，Ｔｌｐ，Ｔｓｌとに基づいて、第２週における非ジョブ期間の消費電力量Ｓ２が第１週における消費電力量Ｓ１よりも削減量Ｙだけ少なくなるように、複数パターンの第２週における各節電モードへの移行回数Ｔｓｔ，Ｔｌｐ，Ｔｓｌを生成する。
【００５１】
具体的には、ＣＰＵ６０は、第２週の消費電力量Ｓ２が第１の消費電力量Ｓ１から削減量Ｙだけ削減されるように、モード分布を変更する。ＣＰＵ６０は、表４に示すように、スリープパターンのモード分布、ローパワーパターンのモード分布及びスタンバイモードのモード分布を生成する。スリープパターンのモード分布とは、第１週の分布モードにおいて、スリープモードへの移行回数を増加させ、ローパワーモードへの移行回数及びスタンバイモードへの移行回数を減少させたモード分布である。ローパワーパターンのモード分布とは、第１週の分布モードにおいて、ローパワーモードへの移行回数を増加させ、スリープモードへの移行回数及びスタンバイモードへの移行回数を減少させたモード分布である。スタンバイパターンのモード分布とは、第１週の分布モードにおいて、スタンバイモードへの移行回数を増加させ、ローパワーモードへの移行回数及びスリープモードへの移行回数を減少させたモード分布である。なお、モード分布の変更の際には、ＣＰＵ６０は、各節電モードへの移行回数の総和を一定としている。
【００５２】
更に、ＣＰＵ６０は、各パターンにおける各節電モードへの移行回数Ｔｓｔ，Ｔｌｐ，Ｔｓｌ及び各節電モードの待機時間ｔｗｓｔ，ｔｗｌｐ，ｔｗｓｌに基づいて、各パターンにおける待機時間の総和を算出する。そして、ＣＰＵ６０は、最も短い待機時間の総和に対応するパターンを選択する。ＣＰＵ６０は、選択したパターンの各節電モードの移行回数Ｔｓｔ，Ｔｌｐ，Ｔｓｌを操作部６４に表示するとともに、第２週において、選択したパターンに基づいて画像形成装置１の動作を制御する。
【００５３】
なお、第２週終了時ないし第４週終了時にも、ＣＰＵ６０は、上記動作を行う。ただし、第２週終了時ないし第３週終了時における削減量Ｙは、式（４）ないし式（６）によって求められる。
【００５４】
Ｙ＝（Ｓ１＋４・Ｓ２−Ｘ）／３  ・・・（４）
Ｙ＝（Ｓ１＋Ｓ２＋３・Ｓ３−Ｘ）／２  ・・・（５）
Ｙ＝（Ｓ１＋Ｓ２＋Ｓ３＋２・Ｓ４−Ｘ）  ・・・（６）
【００５５】
次に、上記動作においてＣＰＵ６０が実際に行う動作について図面を参照しながら説明する。図４ないし図１０は、ＣＰＵ６０が行う動作を示したフローチャートである。
【００５６】
ユーザは、操作部６４を用いて、目標値Ｘを入力する。応じて、ＣＰＵ６０は、目標値Ｘを取得し（ステップＳ１）、ＲＡＭ６２に目標値Ｘを記憶させる。
【００５７】
次に、ＣＰＵ６０は、ＲＡＭ６２が記憶している表２のモード分布をリセットする（ステップＳ２）。
【００５８】
次に、ＣＰＵ６０は、定着装置２０及び印刷部２の状態を節電モードに移行させるか否かを判定する（ステップＳ３）。ステップＳ２では、ＣＰＵ６０は、非ジョブ期間の経過時間が所定時間を経過したか否かに基づいて、定着装置２０及び印刷部２の状態を節電モードに移行させるか否かを判定する。節電モードに移行する場合（Ｙｅｓ）には、本処理はステップＳ４に進む。一方、節電モードに移行しない場合（Ｎｏ）には、本処理はステップＳ３に戻る。
【００５９】
節電モードに移行する場合、ＣＰＵ６０は、定着装置２０及び印刷部２の状態を節電モードに移行させる（ステップＳ４）。なお、ＣＰＵ６０は、いずれの節電モードに移行させるかは、非ジョブ期間の経過時間に基づいて判断する。なお、ステップＳ３及びステップＳ４の動作は一般的な動作であるので、詳細な説明を省略する。この後、本処理はステップＳ５に進む。
【００６０】
ＣＰＵ６０は、印刷ジョブが入力されたか否かを判定する（ステップＳ５）。印刷ジョブの入力は、ユーザが操作部６４を用いて行ってもよいし、画像形成装置１に接続された装置によって行ってもよい。印刷ジョブが入力された場合（Ｙｅｓ）には、本処理はステップＳ６に進む。印刷ジョブが入力されなかった場合（Ｎｏ）には、本処理はステップＳ５に戻る。この場合、印刷ジョブが入力されるまで、ステップＳ５が繰り返される。
【００６１】
印刷ジョブが入力された場合、ＣＰＵ６０は、表２のモード分布において、ステップＳ４において移行した節電モードの移行回数をインクリメントする（ステップＳ６）。この後、ＣＰＵ６０は、印刷部２及び定着装置２０に印刷ジョブを実行させる（ステップＳ７）。
【００６２】
次に、ＣＰＵ６０は、ステップＳ２においてモード分布をリセットしてから１週間が経過したか否かを判定する（ステップＳ８）。１週間が経過した場合（Ｙｅｓ）には、本処理はステップＳ９に進む。１週間が経過していない場合（Ｎｏ）には、本処理はステップＳ３に戻る。この場合、１週間が経過するまで、ステップＳ３〜Ｓ８が繰り返される。
【００６３】
１週間が経過した場合、ＣＰＵ６０は、消費電力量Ｓｎ及び待機時間ＴＷｎを算出する（ステップＳ９）。ここで、ステップＳ９について図面を参照しながらより詳細に説明する。図５は、ステップＳ９のサブルーチンのフローチャートである。
【００６４】
ＣＰＵ６０は、ＲＡＭ６２から表２のモード分布を読み出す（ステップＳ９１）。
【００６５】
次に、ＣＰＵ６０は、第ｎ週（ｎは１〜５の整数）における非ジョブ期間の消費電力量Ｓｎを式（７）に基づいて算出する（ステップＳ９２）。
Ｓｎ＝Ｔｓｔ・Ｗｓｔ＋Ｔｌｐ・Ｗｌｐ＋Ｔｓｌ・Ｗｓｌ  ・・・（７）
【００６６】
次に、ＣＰＵ６０は、第ｎ週（ｎは１〜５の整数）における非ジョブ期間の待機時間ＴＷｎを式（８）に基づいて算出する（ステップＳ９３）。
ＴＷｎ＝Ｔｓｔ・ｔｗｓｔ＋Ｔｌｐ・ｔｗｌｐ＋Ｔｓｌ・ｔｗｓｌ  ・・・（８）
【００６７】
この後、本処理はステップＳ１０に進む。
【００６８】
ＣＰＵ６０は、各パターンにおける各節電モードへの移行回数Ｔｓｔ，Ｔｌｐ，Ｔｓｌを決定する（ステップＳ１０）。ここで、ステップＳ１０について図面を参照しながらより詳細に説明する。図６は、ステップＳ１０のサブルーチンのフローチャートである。
【００６９】
ＣＰＵ６０は、ＲＡＭ６２から表２のモード分布を読み出す（ステップＳ１０１）。
【００７０】
次に、ＣＰＵ６０は、式（３）ないし式（６）を用いて、目標値Ｘに基づいて削減量Ｙを算出する（ステップＳ１０２）。
【００７１】
次に、ＣＰＵ６０は、スリープパターンにおける各節電モードへの移行回数Ｔｓｔ，Ｔｌｐ，Ｔｓｌを決定する（ステップＳ１０３）。ここで、ステップＳ１０３について図面を参照しながらより詳細に説明する。図７は、ステップＳ１０３のサブルーチンのフローチャートである。表５は、第ｎ週及び各パターンにおける移行回数、消費電力量及び待機時間を示した表である。
【００７２】
【表５】
0005849833.tif 000006
【００７３】
ＣＰＵ６０は、移行回数Ｔｓｔ，Ｔｌｐ，Ｔｓｌを変更する（ステップＳ３０１）。具体的には、表５に示すように、ＣＰＵ６０は、スリープモードの移行回数をＴｓｌからＴｓｌ＋ΔＴｓｌに増加させる。一方、ＣＰＵ６０は、スタンバイモードの移行回数をＴｓｔからＴｓｔ−ΔＴｓｌ１に減少させる。ＣＰＵ６０は、ローパワーモードの移行回数をＴｌｐからＴｌｐ−ΔＴｌｐ２に減少させる。なお、ΔＴｓｌ＝ΔＴｓｌ１＋ΔＴｓｌ２の関係が成立している。
【００７４】
次に、ＣＰＵ６０は、式（９）に基づいて、スリープパターンにおける非ジョブ期間の消費電力量Ｓｓｌを算出する（ステップＳ３０２）。
【００７５】
Ｓｓｌ＝（Ｔｓｔ−ΔＴｓｌ１）・（Ｗｓｔ−ΔＷｓｔ）＋（Ｔｌｐ−ΔＴｓｌ２）・Ｗｌｐ＋（Ｔｓｌ＋ΔＴｓｌ）・Ｗｓｌ  ・・・（９）
【００７６】
次に、ＣＰＵ６０は、式（１０）に基づいて、スリープパターンにおける非ジョブ期間の待機時間ＴＷｓｌを算出する（ステップＳ３０３）。
【００７７】
ＴＷｓｌ＝（Ｔｓｔ−ΔＴｓｌ１）・Δｔｗｓｔ＋（Ｔｌｐ−ΔＴｓｌ２）・ｔｗｌｐ＋（Ｔｓｌ＋ΔＴｓｌ）・ｔｗｓｌ  ・・・（１０）
【００７８】
この後、本処理はステップＳ１０４に進む。
【００７９】
次に、ＣＰＵ６０は、ローパワーパターンにおける各節電モードへの移行回数Ｔｓｔ，Ｔｌｐ，Ｔｓｌを決定する（ステップＳ１０４）。ここで、ステップＳ１０４について図面を参照しながらより詳細に説明する。図８は、ステップＳ１０４のサブルーチンのフローチャートである。
【００８０】
ＣＰＵ６０は、移行回数Ｔｓｔ，Ｔｌｐ，Ｔｓｌを変更する（ステップＳ４０１）。具体的には、表５に示すように、ＣＰＵ６０は、ローパワーモードの移行回数をＴｌｐからＴｌｐ＋ΔＴｌｐに増加させる。一方、ＣＰＵ６０は、スタンバイモードの移行回数をＴｓｔからＴｓｔ−ΔＴｌｐ１に減少させる。ＣＰＵ６０は、スリープモードの移行回数をＴｓｌからＴｓｌ−ΔＴｌｐ２に減少させる。なお、ΔＴｌｐ＝ΔＴｌｐ１＋ΔＴｌｐ２の関係が成立している。
【００８１】
次に、ＣＰＵ６０は、式（１１）に基づいて、スリープパターンにおける非ジョブ期間の消費電力量Ｓｌｐを算出する（ステップＳ４０２）。
【００８２】
Ｓｌｐ＝（Ｔｓｔ−ΔＴｌｐ１）・（Ｗｓｔ−ΔＷｓｔ）＋（Ｔｌｐ＋ΔＴｌｐ）・Ｗｌｐ＋（Ｔｓｌ−ΔＴｌｐ２）・Ｗｓｌ  ・・・（１１）
【００８３】
次に、ＣＰＵ６０は、式（１２）に基づいて、スリープパターンにおける非ジョブ期間の待機時間ＴＷｌｐを算出する（ステップＳ４０３）。
【００８４】
ＴＷｌｐ＝（Ｔｓｔ−ΔＴｌｐ１）・Δｔｗｓｔ＋（Ｔｌｐ＋ΔＴｌｐ）・ｔｗｌｐ＋（Ｔｓｌ−ΔＴｌｐ２）・ｔｗｓｌ  ・・・（１２）
【００８５】
この後、本処理はステップＳ１０５に進む。
【００８６】
次に、ＣＰＵ６０は、スタンバイパターンにおける各節電モードへの移行回数Ｔｓｔ，Ｔｌｐ，Ｔｓｌを決定する（ステップＳ１０５）。ここで、ステップＳ１０５について図面を参照しながらより詳細に説明する。図９は、ステップＳ１０５のサブルーチンのフローチャートである。
【００８７】
ＣＰＵ６０は、移行回数Ｔｓｔ，Ｔｌｐ，Ｔｓｌを変更する（ステップＳ５０１）。具体的には、表５に示すように、ＣＰＵ６０は、スタンバイモードの移行回数をＴｓｔからＴｓｔｐ＋ΔＴｓｔに増加させる。一方、ＣＰＵ６０は、ローパワーモードの移行回数をＴｌｐからＴｌｐ−ΔＴｓｔ１に減少させる。ＣＰＵ６０は、スリープモードの移行回数をＴｓｌからＴｓｌ−ΔＴｓｔ２に減少させる。なお、ΔＴｓｔｐ＝ΔＴｓｔ１＋ΔＴｓｔ２の関係が成立している。
【００８８】
次に、ＣＰＵ６０は、式（１３）に基づいて、スリープパターンにおける非ジョブ期間の消費電力量Ｓｓｔを算出する（ステップＳ５０２）。
【００８９】
Ｓｓｔ＝（Ｔｓｔ＋ΔＴｓｔ）・（Ｗｓｔ−ΔＷｓｔ）＋（Ｔｌｐ−ΔＴｓｔ１）・Ｗｌｐ＋（Ｔｓｌ−ΔＴｓｔ２）・Ｗｓｌ  ・・・（１３）
【００９０】
次に、ＣＰＵ６０は、式（１４）に基づいて、スリープパターンにおける非ジョブ期間の待機時間ＴＷｓｔを算出する（ステップＳ５０３）。
【００９１】
ＴＷｓｔ＝（Ｔｓｔ＋ΔＴｓｔ）・Δｔｗｓｔ＋（Ｔｌｐ−ΔＴｓｔ１）・ｔｗｌｐ＋（Ｔｓｌ−ΔＴｓｔ２）・ｔｗｓｌ  ・・・（１４）
【００９２】
この後、本処理はステップＳ１１に進む。
【００９３】
ＣＰＵ６０は、いずれのパターンを適用するのかを選択する（ステップＳ１１）。この際、ＣＰＵ６０は、最も短い待機時間に対応するパターンを選択する。ここで、ステップＳ１１について図面を参照しながら説明する。図１０は、ステップＳ１１のサブルーチンのフローチャートである。
【００９４】
ＣＰＵ６０は、待機時間ＴＷｓｌが待機時間ＴＷｌｐよりも短いか否かを判定する（ステップＳ６０１）。待機時間ＴＷｓｌが待機時間ＴＷｌｐよりも短い場合（Ｙｅｓ）には、本処理はステップＳ６０２に進む。待機時間ＴＷｓｌが待機時間ＴＷｌｐよりも短くない場合（Ｎｏ）には、本処理はステップＳ６０４に進む。
【００９５】
待機時間ＴＷｓｌが待機時間ＴＷｌｐよりも短い場合、ＣＰＵ６０は、待機時間ＴＷｓｌが待機時間ＴＷｓｔよりも短いか否かを判定する（ステップＳ６０２）。待機時間ＴＷｓｌが待機時間ＴＷｓｔよりも短い場合（Ｙｅｓ）には、本処理はステップＳ６０３に進む。待機時間ＴＷｓｌが待機時間ＴＷｓｔよりも短くない場合（Ｎｏ）には、本処理はステップＳ６０４に進む。
【００９６】
待機時間ＴＷｓｌが待機時間ＴＷｓｔよりも短い場合、ＣＰＵ６０は、待機時間ＴＷｓｌが最も短いと判断し、スリープパターンを選択する（ステップＳ６０３）。この後、本処理はステップＳ１２に進む。
【００９７】
前記ステップＳ６０４において、ＣＰＵ６０は、待機時間ＴＷｌｐが待機時間ＴＷｓｔよりも短いか否かを判定する（ステップＳ６０４）。待機時間ＴＷｌｐが待機時間ＴＷｓｔよりも短い場合（Ｙｅｓ）には、本処理はステップＳ６０５に進む。待機時間ＴＷｌｐが待機時間ＴＷｓｔよりも短くない場合（Ｎｏ）には、本処理はステップＳ６０６に進む。
【００９８】
待機時間ＴＷｌｐが待機時間ＴＷｓｔよりも短い場合、ＣＰＵ６０は、待機時間ＴＷｌｐが最も短いと判断し、ローパワーパターンを選択する（ステップＳ６０５）。この後、本処理はステップＳ１２に進む。
【００９９】
待機時間ＴＷｌｐが待機時間ＴＷｓｔよりも短くない場合、ＣＰＵ６０は、待機時間ＴＷｓｔが最も短いと判断し、スタンバイパターンを選択する（ステップＳ６０６）。この後、本処理はステップＳ１２に進む。
【０１００】
前記ステップＳ１２において、ＣＰＵ６０は、ステップＳ１において目標値Ｘが入力されてから１ヶ月が経過したか否かを判定する（ステップＳ１２）。１ヶ月が経過した場合には、本処理はステップＳ１に戻る。１ヶ月が経過していない場合には、本処理はステップＳ２に戻る。この場合、ＣＰＵ６０は、次の週において、ステップＳ１１において選択したパターンのモード分布を操作部６４に表示させるとともに、該パターンに基づいて、印刷部２及び定着装置２０の動作を制御する。以上で、ＣＰＵ６０が行う動作の説明を終了する。
【０１０１】
（効果）
以上のように構成された画像形成装置１によれば、消費電力量の低減を図ることができる。より詳細には、画像形成装置１では、目標値Ｘに収まるように毎週末に各節電モードへの移行回数Ｔｓｔ，Ｔｌｐ，Ｔｓｌを変更している。ＣＰＵ６０が変更後の移行回数Ｔｓｔ，Ｔｌｐ，Ｔｓｌに基づいて印刷部２及び定着装置２０の動作を制御することによって、画像形成装置１の消費電力量の低減が図られる。
【０１０２】
また、画像形成装置１によれば、ジョブの実行までの待機時間ＴＷｎが長くなることを抑制できる。より詳細には、ＣＰＵ６０は、各節電モードの消費電力量Ｗｓｔ−ΔＷｓｔ，Ｗｌｐ，Ｗｓｌと各節電モードへの移行回数Ｔｓｔ，Ｔｌｐ，Ｔｓｌとに基づいて、非ジョブ期間の消費電力量Ｓｎが消費電力量Ｓｎ−１よりも削減量Ｙだけ少なくなるように、複数パターンの各節電モードへの移行回数Ｔｓｔ，Ｔｌｐ，Ｔｓｌを生成している。そして、ＣＰＵ６０は、複数パターンの各節電モードへの移行回数Ｔｓｔ，Ｔｌｐ，Ｔｓｌ及び各節電モードの待機時間ｔｗｓｔ，ｔｗｌｐ，ｔｗｓｌに基づいて、複数パターンの待機時間ＴＷｓｔ，ＴＷｌｐ，ＴＷｓｌを算出し、最も短い待機時間ＴＷｓｔ，ＴＷｌｐ，ＴＷｓｌに対応するパターンを選択している。これにより、画像形成装置１において、ジョブの実行までの待機時間ＴＷｎが長くなることが抑制される。
【０１０３】
（その他の実施形態）
本発明に係る画像形成装置は、前記実施形態に係る画像形成装置１に限らずその要旨の範囲内において変更可能である。
【０１０４】
例えば、画像形成装置１では、図５のステップＳ９２において消費電力量Ｓｎを算出しているが、消費電力量Ｓｎは、実際に計測された値であってもよい。
【０１０５】
なお、画像形成装置１において、画像形成を行う印刷部２及び定着装置２０の代わりに、所定の画像処理のジョブを実行する実行部が設けられていてもよい。所定の画像処理とは、例えば、原稿の読み取り等が挙げられる。
【０１０６】
なお、目標値Ｘの入力は、第１週終了時に行われてもよい。
【産業上の利用可能性】
【０１０７】
以上のように、本発明は、画像処理装置に有用であり、特に、消費電力量の低減を図ると共に、ジョブの実行までの待機時間が長くなることを抑制できる点において優れている。
【符号の説明】
【０１０８】
１      画像形成装置
２     印刷部
２０  定着装置
６０  ＣＰＵ
６２  ＲＡＭ
６３  制御基板
６４  操作部
６６  低圧電源
７０  プラグ
【図１】
0005849833.tif 000007
【図２】
0005849833.tif 000008
【図３】
0005849833.tif 000009
【図４】
0005849833.tif 000010
【図５】
0005849833.tif 000011
【図６】
0005849833.tif 000012
【図７】
0005849833.tif 000013
【図８】
0005849833.tif 000014
【図９】
0005849833.tif 000015
【図１０】
0005849833.tif 000016